(57)【要約】【課題】誤検知を防止するとともに、意匠性を向上させることのできるミラーキャビネットを提供すること。【解決手段】キャビネット本体３と、キャビネット本体３の前面に配置されるミラー部２と、物体の近接及び動きを検知するセンサ部４２を有する照明装置４と、を備え、センサ部４２は、キャビネット本体３の下部におけるミラー部２よりも奥側に配置されるミラーキャビネット１である。センサ部４２は、ミラー部２よりも下方に配置される。【選択図】図１
2018089179.tif 000002
【特許請求の範囲】
【請求項１】
キャビネット本体と、
前記キャビネット本体の前面に配置されるミラー部と、
物体の近接及び動きを検知するセンサ部を有する照明装置と、を備え、
前記センサ部は、前記キャビネット本体の下部における前記ミラー部よりも奥側に配置されるミラーキャビネット。
【請求項２】
前記センサ部は、前記ミラー部よりも下方に配置される請求項１に記載のミラーキャビネット。
【請求項３】
前記センサ部は、前記キャビネット本体の底面の外側に取り付けられ、
前記底面から離間した位置で前記底面に対向する前記センサ部の外面が、前記底面に対して傾斜している請求項２に記載のミラーキャビネット。
【請求項４】
前記ミラー部は、前記キャビネット本体に対して開閉可能なミラー扉で構成され、
前記センサ部は、前記ミラー扉の吊元側に配置される請求項２又は３に記載のミラーキャビネット。
【請求項５】
前記センサ部は、前記ミラー部の裏側に配置される請求項１に記載のミラーキャビネット。
【請求項６】
前記センサ部は、前記キャビネット本体の内部に設けられた幕板部に配置される請求項５に記載のミラーキャビネット。
【請求項７】
前記ミラー部は、前記キャビネット本体に対してスライド移動可能なミラー扉で構成され、
前記センサ部は、前記ミラー扉の正面視における可動範囲外の位置に配置される請求項５又は６に記載のミラーキャビネット。
【発明の詳細な説明】
【技術分野】
【０００１】
本発明は、ミラーキャビネットに関する。
【背景技術】
【０００２】
従来、洗面化粧台等において、鏡のついた収納棚であるミラーキャビネットが設けられている。このミラーキャビネットに、照明装置と、人間等の物体が近づいたことを検知するセンサ部とを設け、非接触で鏡の周囲に配置した照明の点灯や消灯を行うものが提案されている。非接触で照明が動作するミラーキャビネットは、検知範囲に人体等の物体が近づくと照明が点灯するように構成されており、センサ部は、人体が近づいたときに検知するように、鏡の前面中央の上端部に配置されている（例えば、特許文献１参照）。
【先行技術文献】
【特許文献】
【０００３】
【特許文献１】特開２０１３−２５５６８７号公報
【発明の概要】
【発明が解決しようとする課題】
【０００４】
センサ部が鏡の前面に位置していると、鏡のみのすっきりした外観を形成することが難しく、ミラーキャビネットの意匠性を向上させにくい場合があった。また、センサ部が前面にあると、検知距離が長くなるので、誤検知を招きやすいという問題もあった。
【０００５】
本発明は、誤検知を防止するとともに、意匠性を向上させることのできるミラーキャビネットを提供することを目的とする。
【課題を解決するための手段】
【０００６】
上記目的を達成するため本発明は、キャビネット本体（例えば、後述のキャビネット本体３）と、前記キャビネット本体の前面に配置されるミラー部（例えば、後述のミラー部２）と、物体の近接及び動きを検知するセンサ部（例えば、センサ部４２）を有する照明装置（例えば、後述の照明装置４）と、を備え、前記センサ部は、前記キャビネット本体の下部における前記ミラー部よりも奥側に配置されるミラーキャビネットを提供する。
【０００７】
また、前記センサ部は、前記ミラー部よりも下方に配置されることが好ましい。
【０００８】
また、前記センサ部は、前記キャビネット本体の底面（例えば、後述の底面部３３）の外側に取り付けられ、前記底面から離間した位置で前記底面に対向する前記センサ部の外面（例えば、後述の第二面４２２ｂ）が、前記底面に対して傾斜していることが好ましい。
【０００９】
また、前記ミラー部は、前記キャビネット本体に対して開閉可能なミラー扉で構成され、前記センサ部は、前記ミラー扉の吊元側に配置されることが好ましい。
【００１０】
また、前記センサ部は、前記ミラー部の裏側に配置されることが好ましい。
【００１１】
また、前記センサ部は、前記キャビネット本体の内部に設けられた幕板部に配置されることが好ましい。
【００１２】
また、前記ミラー部は、前記キャビネット本体に対してスライド移動可能なミラー扉で構成され、前記センサ部は、前記ミラー扉の正面視における可動範囲外の位置に配置されることが好ましい。
【発明の効果】
【００１３】
本発明によれば、誤検知を防止するとともに、意匠性を向上させることのできるミラーキャビネットを提供することができる。
【図面の簡単な説明】
【００１４】
【図１】本発明の第一実施形態のミラーキャビネットを示す正面側斜視図である。
【図２】第一実施形態のミラーキャビネットを示し、（ａ）図はミラーキャビネットの斜視図であり、（ｂ）図はセンサ部の斜視図である。
【図３】図１のＡ−Ａ断面図である。
【図４】第二実施形態のミラーキャビネットの正面図である。
【図５】第二実施形態のミラーキャビネットを開けた状態を示し、（ａ）図はミラーキャビネットの斜視図であり、（ｂ）図はセンサ部の斜視図である。
【図６】第二実施形態のミラーキャビネットの断面図であり、（ａ）図は図４のＢ−Ｂ断面図であり、（ｂ）図は、（ａ）図の部分拡大図である。
【図７】第三実施形態のミラーキャビネットの正面図である。
【図８】図７のＣ−Ｃ断面図である。
【発明を実施するための形態】
【００１５】
以下、本発明の一実施形態について、図面を参照しながら詳しく説明する。
図１は、第一実施形態に係るミラーキャビネット１が設けられた洗面化粧台１００の正面側斜視図である。洗面化粧台１００は、ミラーキャビネット１と、洗面カウンター７と、下部キャビネット８と、を有する。
洗面カウンター７は、上部が開口して水を受ける凹部を有する洗面ボウル７１と、洗面ボウル７１が配置されるカウンター部７２と、水栓７３とを有する。
下部キャビネット８は、洗面カウンター７の下部に配置される。下部キャビネット８は、水栓７３及び洗面ボウル７１の排水口から延びる配管を収納するとともに、周囲に収納空間を有する。
【００１６】
図２（ａ）図はミラーキャビネット１の斜視図であり、図２（ｂ）はセンサ部４２の斜視図である。
ミラーキャビネット１は、図２に示すように、洗面化粧台１００の洗面ボウル７１の奥側で洗面ボウル７１よりも上部に配置される鏡付きの収納部である。ミラーキャビネット１は、ミラー部２と、キャビネット本体３と、照明装置４と、表示板５と、を有する。
【００１７】
ミラー部２は、ミラーキャビネット１の前面に配置され、長方形の鏡が三枚連続して形成される三面鏡である。ミラー部２は、ミラーキャビネット１における開閉可能な扉として機能する。ミラー部２は、第１ミラー扉２１、第２ミラー扉２２及び第３ミラー扉２３と、を有する。
第１ミラー扉２１は、幅方向の中央に配置され、三枚のうち最も面積の広い鏡である。
第２ミラー扉２２及び第３ミラー扉２３は、第１ミラー扉２１の左右方向両側にそれぞれ配置され、第１ミラー扉２１の幅よりも狭い。第１ミラー扉２１、第２ミラー扉２２及び第３ミラー扉２３は、幅方向の一方側にヒンジ部（図示せず）が配置され、ヒンジ部を回転させることで他方側を開閉するように構成されている。
【００１８】
キャビネット本体３は、ミラー部２の裏側に配置され、ミラー部２と対応する寸法を有する棚である。図１及び図２（ａ）に示すように、キャビネット本体３は、第１収納棚３１０と、第２収納棚３２０と、第３収納棚３３０と、を有する。また、キャビネット本体３は、それぞれが板状の部材で構成される背板部３１と、側面部３２と、底面としての底面部３３と、天面部３４と、複数の棚板３５と、を有する。
【００１９】
背板部３１は、洗面化粧台１００が配置される空間の壁面に沿って配置され、ミラー部２全体の裏側に位置する。
【００２０】
側面部３２は、ミラー部２の上下方向に全部で四枚配置される。すなわち、側面部３２は、キャビネット本体３の左右方向両端部に位置する外側側面部３２ａ、３２ｄと、第１ミラー扉２１の左右方向両端部に位置し、第１ミラー扉２１と第２ミラー扉２２、及び第１ミラー扉２１と第３ミラー扉２３それぞれの間を区切る仕切り側面部３２ｂ及び３２ｃとを有する。側面部３２ａ〜３２ｄにより、第１ミラー扉２１、第２ミラー扉２２及び第３ミラー扉２３の裏側に、三つに分割された第１収納棚３１０、第２収納棚３２０及び第３収納棚３３０が形成される。
【００２１】
底面部３３は、背板部３１の下端部に配置され、背板部３１から背板部３１に直交する手前方向へ延びる一枚の板材である。底面部３３は、第１ミラー扉２１の下面にのみ配置されており、第２ミラー扉２２及び第３ミラー扉２３の下面には配置されていない。
【００２２】
天面部３４は、背板部３１の上端部に配置され、背板部３１から背板部３１に直交する手前方向へ延びる一枚の板材である。
【００２３】
棚板３５（図３参照）は、外側側面部３２ａ、３２ｄ及び仕切り側面部３２ｂ、３２ｃの間に略水平方向に延びるように渡される板材である。棚板３５は、固定されていてもよく、使用者によって任意の位置に配置を変更できるように構成されてもよく、その両方を含む構成であってもよい。
【００２４】
なお、図２（ａ）に示すように、第３収納棚３３０の下方には、電気機器用の差し込みプラグ穴６（コンセント）が配置されている。
【００２５】
照明装置４は、ミラー部２の周囲に配置され、ミラー部２を照らす装置である。照明装置４は、上部照明４１０と、縦照明４２０と、を有する。また、照明装置４は、上部照明４１０及び縦照明４２０を発光させる発光部４１と、センサ部４２と、制御部４３とを有する。
【００２６】
上部照明４１０は、図２（ａ）に示すように、天面部３４における第１ミラー扉２１の上方に配置される。上部照明４１０は、第１ミラー扉２１の鏡面から前方へ突出している。
縦照明４２０は、第１ミラー扉２１と第２ミラー扉２２及び第３ミラー扉２３それぞれの境界に上下方向に延びるように配置される。縦照明４２０は、仕切り側面部３２ｂ、３２ｃに取り付けられる照明カバーの内部に、以下に説明する発光部４１が配置されることで構成される。
【００２７】
発光部４１は、上部照明４１０及び縦照明４２０に配置されるＬＥＤ素子である。発光部４１は、上部照明４１０及び縦照明４２０内に配置された基板に取り付けられる。なお、発光部４１の電源基板４４は、第１収納棚３１０の内部で、仕切り側面部３２ｂの内側に配置されている（図３参照）。
【００２８】
センサ部４２は、人間等の物体の近接及び動きを検知する赤外線センサである。センサ部４２は、図２（ａ）に示すように、ミラー部２よりも下方に配置されている。センサ部４２は、第１収納棚３１０の底面部３３で、第１ミラー扉２１の鏡面よりも奥側、すなわち背板部３１側に配置されている。
【００２９】
センサ部４２は、図２（ｂ）に示すように、センサ本体４２１と、これを収容するケーシング４２２を有する。
センサ本体４２１は、例えば近赤外線反射検出方式の赤外線センサのモジュールである。センサ本体４２１は、赤外線を放射する。
ケーシング４２２は、略立方体の形状で、外側の面はセンサ部４２の外面を構成する。第一面４２２ａ〜第六面４２２ｆの六面を有する。
第一面４２２ａは、開口しており、内部にセンサ本体４２１やコネクタ等を収容可能になっている。第一面４２２ａは上面を構成し、キャビネット本体３の底面部３３に当接する。
第二面４２２ｂは、ケーシング４２２の底面を構成し、キャビネット本体３の底面部３３から離間した位置で底面部３３に対向して配置される。第二面４２２ｂは、底面部３３に対して傾斜している。第二面４２２ｂ、一対の側面を構成する第三面４２２ｄ及び第四面４２２ｃの下縁は、図２（ｂ）及び図３等に示すように、センサ部４２をキャビネット本体３の底面部３３に取り付けた状態で、手前側から奥側へ向かって上り傾斜するように傾斜している。
前面となる第五面４２２ｅは、後面となる第六面４２２ｆよりも面積が大きく、第五面４２２ｅにセンサ本体４２１が露出している。第五面４２２ｅは、センサ本体４２１から赤外線が放射される放射面である。
【００３０】
図３は、図１のＡ−Ａ断面図である。
図３に示すように、センサ部４２は、底面部３３の奥行方向における略中央部から斜め下方を向いて配置されており、検知範囲Ｓ１を有する。
検知範囲Ｓ１は、この範囲で使用者が手指をかざすと、センサ部４２が人体等の物体の接近を正常に検知する範囲である。検知範囲Ｓ１は、センサ部４２から円錐状に外側に向かって広がるように設定されており、広範囲にわたっているが、第１ミラー扉２１のミラー部２より前には出過ぎないように設定されている。
【００３１】
制御部４３は、仕切り側面部３２ｂ及び３２ｃの上端部に配置される基板のＣＰＵである。制御部４３は、センサ部４２の検知結果に基づいて、発光部４１の発光を制御する。
【００３２】
表示板５は、第１ミラー扉２１の下縁の幅方向における一方側に設けられる。表示板５は、センサ部４２の位置を示す目印である。表示板５は、略台形形状で、下底が第１ミラー扉２１の下縁に沿うように配置される。表示板５は、第１ミラー扉２１の下端部に接着されて取り付けられる。
【００３３】
次に、図１〜３を参照して、第一実施形態に係るミラーキャビネット１の使用方法について説明する。
洗面化粧台１００を使用するため、洗面化粧台１００に近付いた使用者は、図１及び図２（ａ）に示す表示板５の位置を目印に、手を表示板５へ伸ばして、センサ部４２の検知範囲Ｓ１に手をかざす。
【００３４】
センサ部４２は、洗面ボウル７１や水栓７３等の水回りの近傍に配置されるため、水飛沫等がセンサ部４２に飛んでも誤作動しないように、物体がセンサ部４２に触れるほど近付きすぎた場合は検知しないように設定されている。仮にセンサ部４２が真下を向いていると、センサ部４２がより確実に検知できるように、使用者がセンサ部４２に触れようとすることも考えられる。しかし第一実施形態では、図３に示すように、センサ部４２は斜め下方を向いているので、使用者は手をセンサ部４２の前に伸ばすだけで検知される。
次に、制御部４３は、センサ部４２が手を検知すると、発光部４１を発光させる。
【００３５】
第一実施形態によれば、以下の効果が奏される。
第一実施形態では、ミラーキャビネット１を、キャビネット本体３と、キャビネット本体３の前面に配置されるミラー部２と、物体の近接及び動きを検知するセンサ部４２を有する照明装置４と、含んで構成した。また、センサ部４２を、キャビネット本体３の下部におけるミラー部２よりも奥側に配置した。
本実施形態によれば、センサ部４２がミラー部よりも奥側に配置されており、ミラー部２の正面から見えにくい位置にあるので、ミラーキャビネット１の外観がすっきりとなり、意匠性を向上させることができる。また、センサ部４２がミラー部２よりも奥側に配置されていることで、奥側から手前側に向かって広い範囲の検知範囲を設定することができる一方で、ミラー部２よりも手前に出過ぎないため、誤検知を防止することができる。
【００３６】
第一実施形態によれば、センサ部４２を、ミラー部２よりも下方に配置した。これにより、センサ部４２がミラー部２の下方でミラー部２よりも奥側に配置されているので、意図的にミラー部２の下に手指をかざさないと反応しない位置にあり、誤検知を防止することができる。
【００３７】
第一実施形態によれば、センサ部４２を、キャビネット本体３の底面部３３の外側に取り付けた。また、底面部３３から離間した位置で底面部３３に対向するセンサ部４２の第二面４２２ｂが、底面部３３に対して傾斜するように構成した。センサ部４２の第二面４２２ｂが、底面部３３に沿って配置されていた場合、使用者が手を底面部３３に沿わせるようにセンサ部４２へ伸ばし、センサ部４２自体に触れるか、又は触れるほど近づきやすくなる。センサ部４２は、水回りに配置されているので、水の飛沫などを誤検知しないようにするため、センサ部４２に近付きすぎると検知しないように設定されている場合もある。しかし、センサ部４２の第二面４２２ｂがキャビネット本体３の底面部３３に対して傾斜して配置されていると、手をセンサ部４２の手前で止めやすい。このため、誤検知を防止するとともにミラーキャビネット１の意匠性を向上させることができる。
【００３８】
次に、図４〜図６を参照して、第二実施形態に係るミラーキャビネット１Ａについて説明する。第二実施形態以降の説明において、第一実施形態と共通する構成要素については同じ符号を用いる。また、特に説明がない場合、第一実施形態の構成と同様である。
【００３９】
図４は、ミラーキャビネット１Ａの正面図である。図４に示すように、第二実施形態のミラーキャビネット１Ａは、ミラーキャビネット１Ａが三面鏡ではなく一面鏡である点で第一実施形態と異なる。ミラー部２は、キャビネット本体３に対して開閉可能なミラー扉で構成される。
すなわち、ミラーキャビネット１Ａは、一面鏡のミラー部２Ａと、キャビネット本体３Ａと、照明装置４Ａと、を有する。
【００４０】
図５（ａ）は、ミラーキャビネット１Ａを開けた状態の斜視図である。
ミラー部２Ａは、図５（ａ）に示すように、キャビネット本体３Ａの一方の側面部に吊り込まれ、片開きのミラー扉を構成している。
【００４１】
キャビネット本体３Ａは、背板部３１と、側面部３２と、底面部３３Ａと、天面部３４と、幕板部３６と、を有する。
【００４２】
図６（ａ）は、図４のＢ−Ｂ断面図である。
底面部３３Ａは、第一実施形態と異なり、図６（ａ）に示すように、大底板３３１及び小底板３３２を有する。
大底板３３１は、背板部３１の下端部からやや上に配置され、天面部３４と略平行にキャビネット本体３Ａの左右方向における一方から他方まで取り付けられる。大底板３３１は、背板部３１に固定されて、ミラー部２Ａの裏側まで略水平方向に延出する。大底板３３１は、背板部３１の上下方向において、下から例えば１／５〜１／６程度の位置に配置される。
小底板３３２は、背板部３１の下端部に配置され、天面部３４と平行にキャビネット本体３Ａの左右方向における一方から他方まで取り付けられる。小底板３３２の奥行方向の幅は、大底板３３１よりも短く、例えば大底板３３１の半分程度の奥行を有する。
【００４３】
幕板部３６は、小底板３３２の手前側の端部に、小底板３３２から大底板３３１の裏面に届くように、背板部３１と略平行に取り付けられる。図５及び図６（ａ）に示すように、幕板部３６は、キャビネット本体３Ａの下方、大底板３３１の下側に配置され、幕板部３６の裏に小さな空間が形成されるように配置される。幕板部３６の前面には、差し込みプラグ穴６が配置される。幕板部３６の裏側と背板部３１の下方との間に形成される空間には、配線等が通される。また、幕板部３６とミラー部２Ａの裏側との間には、底面部３３Ａが配置されず、開口となっている。
【００４４】
照明装置４Ａは、第二実施形態では、縦照明４２０を有さず、上部照明４１０のみを有する。
【００４５】
照明装置４Ａのセンサ部４２Ａは、第二実施形態では幕板部３６に沿って略垂直方向に取り付けられる。
図５（ａ）に戻って、センサ部４２Ａは、ミラー部２Ａの裏側で、ミラー部２Ａを構成するミラー扉の吊元側に配置される。また、センサ部４２Ａは、キャビネット本体３の内部に設けられた幕板部３６に配置される。
また、図５（ｂ）及び図６（ｂ）に示すように、センサ部４２Ａは、ケーシング４２２の第五面４２２ｅが下方を向いており、第六面４２２ｆが上端側に位置する。
また、第一面４２２ａが幕板部３６に当接して配置され、第二面４２２ｂが幕板部３６に対向するとともに、奥側の上端部から手前側の下端部へ向かって前面に突出するように傾斜している。
【００４６】
図６（ａ）に示すように、センサ部４２Ａは、ミラー部２Ａよりも奥側、すなわち背板部３１側の幕板部３６に取り付けられている。また、センサ部４２Ａは、第一実施形態と同様に、斜め下方を向いて配置されている。センサ部４２Ａの検知範囲Ｓ１は、センサ部４２Ａから円錐状に外側に向かって広がるように設定されており、広範囲にわたっているが、ミラー部２Ａより前には出過ぎないように設定されている。
【００４７】
第二実施形態によれば、以下の効果が奏される。
第二実施形態では、ミラー部２Ａを、キャビネット本体３Ａに対して開閉可能なミラー扉で構成し、センサ部４２Ａを、ミラー扉の吊元側に配置した。
使用者は、ミラー扉を開けるとき、吊先側を保持するが、吊元側で動作することは少ない。このため、センサ部４２Ａの誤検知が防止される。
【００４８】
また、第二実施形態では、センサ部４２Ａを、ミラー部２Ａの裏側に配置した。これにより、センサ部４２がミラー部２Ａの外側から視認されないため、ミラーキャビネット１Ａの意匠性を向上させることができる。
【００４９】
また、第二実施形態では、センサ部４２Ａを、キャビネット本体３Ａの内部に設けられた幕板部３６に配置した。これにより、幕板部３６と背板部３１との間に配線等を収容することができるため、さらに意匠性を向上させることができる。
【００５０】
次に、図７及び８を参照して、第三実施形態に係るミラーキャビネット１Ｂについて説明する。
図７は、ミラーキャビネット１Ｂの正面図である。図７に示すように、第三実施形態のでは、ミラーキャビネット１Ｂが開閉式ではなく、ミラー部２Ｂがキャビネット本体３Ｂに対して左右方向にスライド可能な一枚のミラー扉で構成されている点で第一及び第二実施形態と異なる。
すなわち、ミラーキャビネット１Ｂは、ミラー部２Ｂと、キャビネット本体３Ｂと、照明装置４Ｂと、表示板５Ｂと、を有する。
【００５１】
キャビネット本体３Ｂは、第三実施形態では横に長く形成される。キャビネット本体３Ｂは、第一実施形態で有する構成の他に、スライドレール３７と、横棚板３５１と、縦棚板３５２と、を有する。
スライドレール３７は、キャビネット本体３Ｂの上縁と下縁に沿って互いに平行に延びるように取り付けられる。
スライドレール３７は、上縁側スライドレール３７１及び下縁側スライドレール３７２を有する。上縁側スライドレール３７１は、キャビネット本体３Ｂにおける天面部３４上で、手前側に延びる上縁の近傍に、上縁の一方から他方まで延びるように取り付けられる。下縁側スライドレール３７２は、キャビネット本体３Ｂの底面部３３における下面側で、手前側に延びる下縁の近傍に、下縁の一方から他方まで延びるように取り付けられる。
スライドレール３７は、レール内の一方側端部（図７では左側）に、ミラー部２のスライドを制限するストッパを有する（図示せず）。
【００５２】
横棚板３５１は、キャビネット本体３Ｂの内部で固定して配置され、上下方向の中央付近に左右方向に延びるように取り付けられる。
縦棚板３５２は、横棚板３５１の下側とキャビネット本体３Ｂの底面部３３との間を結ぶように上下方向に取り付けられ、キャビネット本体３Ｂの内部を左右方向に仕切る。縦棚板３５２には、差し込みプラグ穴６が設けられる。
【００５３】
図８は、図７のＣ−Ｃ断面図である。
図８に示すように、ミラー部２Ｂは、スライド係合金具２５を有する。スライド係合金具２５は、ミラー部２Ｂの裏側の上縁と下縁に沿って、互いに平行に取り付けられる。スライド係合金具２５は、キャビネット本体３Ｂのスライドレール３７に係合して、ミラー部２Ｂを左右方向に移動可能にする。ミラー部２は、スライドレール３７内のストッパにより、スライドレール３７内をスライドするミラー部２の可動範囲が規制される。ミラー部２は、キャビネット本体３の左端部まで到達しない。
【００５４】
照明装置４Ｂは、第三実施形態では、第二実施形態と同様に縦照明４２０を有さず、上部照明４１０のみを有する。
【００５５】
照明装置４Ｂのセンサ部４２Ｂは、図７に示すように、キャビネット本体３Ｂの左側端部における下方に配置される。センサ部４２Ｂは、ミラーキャビネット１Ｂの正面視において、ミラー部２を構成するミラー扉の可動範囲外の位置に配置される。
また、センサ部４２Ｂは、第一及び第二実施形態と同様に、ミラー部２Ｂよりも奥側、すなわち背板部３１側の位置に取り付けられている。センサ部４２Ｂは、斜め下方を向いて配置されている。センサ部４２Ｂの検知範囲Ｓ１は、センサ部４２から円錐状に外側に向かって広がるように設定されており、広範囲にわたっているが、ミラー部２Ｂより前には出過ぎないように設定されている。なお、図７に示すように、正面視でセンサ部４２はミラー部２に隠れることはないので、センサ部４２の正面付近の検知範囲Ｓ１はミラー部２によって遮られることはない。
【００５６】
なお、表示板５Ｂは、キャビネット本体３Ｂの下縁の左右方向における一方側（図７では左側端部）に設けられる。
【００５７】
図７及び図８を参照して、第三実施形態におけるミラーキャビネット１Ｂの動作について説明する。
ミラー部２は、必要に応じて、キャビネット本体３Ｂの左右にスライドレール３７に沿って移動させることができる。このとき、センサ部４２Ｂは、ミラー部２Ｂが到達しないキャビネット本体３Ｂの一方の端部に配置されている。このため、ミラー部２Ｂを可動範囲いっぱいに移動させても、センサ部４２Ｂの検知範囲にミラー部２Ｂが干渉しない。
【００５８】
第三実施形態によれば、以下の効果が奏される。
第三実施形態では、ミラー部２Ｂを、キャビネット本体３Ｂに対してスライド移動可能なミラー扉で構成し、センサ部４２Ｂを、ミラー扉の正面視における可動範囲外の位置に配置した。ミラー部２Ｂをスライド移動可能に構成したことで、様々な用途に対応させることができるようになる。また、センサ部４２Ｂをミラー扉の正面視における可動範囲外に配置することで、ミラー扉を保持してスライド移動させている途中でセンサ部４２Ｂとの間に指を挟んだり、センサ部４２の検知範囲で動くことでセンサ部４２Ｂが誤検知することを防止することができる。
【００５９】
なお、本発明は上記実施形態に限定されるものではなく、本発明の目的を達成できる範囲での変形、改良等は本発明に含まれる。
例えば、上記実施形態では、洗面化粧台１００に設けられるミラーキャビネットを例に説明したが、これに限られない。洗面ボウルや水栓等の洗面施設が設けられていないミラーキャビネットに用いられてもよい。
また、センサ部として、近赤外線反射検出方式の赤外線センサを例に挙げたが、これに限られない。センサは、物体の近接を検知可能なセンサであれば、どのようなセンサであってもよい。
【符号の説明】
【００６０】
１，１Ａ，１Ｂ    ミラーキャビネット
２，２Ａ，２Ｂ    ミラー部
３，３Ａ，３Ｂ    キャビネット本体
３３，３３Ａ      底面部（底面）
３６  幕板部
４    照明装置
４２  センサ部
【図１】
2018089179.tif 000003
【図２】
2018089179.tif 000004
【図３】
2018089179.tif 000005
【図４】
2018089179.tif 000006
【図５】
2018089179.tif 000007
【図６】
2018089179.tif 000008
【図７】
2018089179.tif 000009
【図８】
2018089179.tif 000010